(57)【特許請求の範囲】
【請求項１】
ジョブに関する設定値の入力を受け付けるとともに、前記ジョブを開始するための開始操作を受け付ける操作部と、
原稿がセットされる原稿セットトレイと、
前記原稿セットトレイにセットされた原稿を前記ジョブの実行中に読取位置に搬送する原稿搬送部と、
前記ジョブの実行中に前記読取位置を通過する原稿を読み取る画像読取部と、
前記原稿セットトレイにセットされた原稿のサイズを検知するための原稿サイズセンサーと、
前記原稿セットトレイへの原稿のセット時に前記原稿サイズセンサーの出力値に基づき原稿のサイズ検知を行うとともに、前記操作部に対して前記開始操作が行われたことを受けて前記ジョブを開始させ、前記ジョブの開始前に前記操作部が受け付けた設定値に従って前記ジョブの実行を制御する制御部と、を備え、
前記原稿サイズセンサーは前記原稿セットトレイに設けられ、
前記制御部は、前記操作部に対して前記開始操作が行われた後、原稿搬送動作を開始するまでの間に、前記原稿サイズセンサーの出力値に基づき前記原稿セットトレイにセットされた原稿のサイズ検知を行い、前記開始操作前に検知した原稿のサイズと前記開始操作後に検知した原稿のサイズとが異なれば、前記ジョブの開始前に前記操作部が受け付けた設定値をリセットせずに前記ジョブを一時停止させることを特徴とする画像読取装置。
【請求項２】
前記ジョブの実行状態を報知する報知部を備え、
前記報知部は、前記制御部により前記ジョブが一時停止されると、前記原稿セットトレイに原稿を再セットするよう促す旨を報知し、
前記制御部は、前記原稿セットトレイに原稿が再セットされると、前記画像読取部が原稿を読み取る際の読取サイズを前記原稿セットトレイに再セットされた原稿のサイズに基づき設定し、前記読取サイズ以外の前記ジョブに関する設定値は保持したまま前記ジョブを再開させることを特徴とする請求項１に記載の画像読取装置。
【請求項３】
前記ジョブの実行状態を報知する報知部を備え、
前記報知部は、前記制御部により前記ジョブが一時停止されると、前記画像読取部が原稿を読み取る際の読取サイズを設定するための設定値を前記操作部に入力するよう促す旨を報知し、
前記制御部は、前記読取サイズを設定するための設定値が前記操作部に入力されると、前記原稿セットトレイにセットされた原稿のサイズによらず、前記操作部に入力された設定値に基づき前記読取サイズを設定し、前記読取サイズ以外の前記ジョブに関する設定値は保持したまま前記ジョブを再開させることを特徴とする請求項１または２に記載の画像読取装置。
【請求項４】
請求項１〜３のいずれか１項に記載の画像読取装置と、
外部機器に通信可能に接続され、前記画像読取部による原稿の読み取りによって得られた画像データを前記外部機器に送信する通信部と、を備え、
前記ジョブは、原稿の画像データを前記外部機器に送信する送信ジョブであることを特徴とする通信装置。
【請求項５】
請求項１〜３のいずれか１項に記載の画像読取装置と、
前記画像読取部による原稿の読み取りによって得られた画像データに基づく画像を用紙に印刷する印刷部と、を備え、
前記ジョブは、原稿の画像データに基づく画像を用紙に印刷するコピージョブであることを特徴とする画像形成装置。
【発明の詳細な説明】
【技術分野】
【０００１】
本発明は、原稿を搬送して読み取る画像読取装置、通信装置および画像形成装置に関する。
【背景技術】
【０００２】
従来から、コンタクトガラス上（読取位置）を通過する原稿を読み取る搬送読取の実行が可能な画像読取装置が知られている。このような画像読取装置は、読取位置に原稿を搬送する原稿搬送ユニットを備える。
【０００３】
原稿搬送ユニットは、原稿がセットされる原稿セットトレイ、原稿セットトレイから読取位置に至る原稿搬送路、および、原稿搬送路に沿って原稿を搬送する搬送ローラー、などによって構成される。なお、原稿セットトレイには、原稿セットトレイにセットされた原稿のサイズ検知を行うための原稿サイズセンサーが設けられる（たとえば、特許文献１参照）。
【０００４】
また、通常、画像読取装置には、操作パネルが装着される。そして、画像読取装置は、操作パネルを介して、ジョブに関する設定値の入力を受け付けたり、ジョブを開始するための開始操作を受け付けたりする。
【０００５】
搬送読取を伴うジョブを所望するユーザーは、まず、原稿セットトレイに原稿をセットする。また、必要に応じて（ジョブに関する設定値をデフォルト値から所望値に変更する場合）、ジョブに関する設定値を操作パネルに入力する。そして、操作パネルに対して開始操作を行う。
【０００６】
画像読取装置では、原稿セットトレイへの原稿のセット時に、原稿サイズセンサーの出力値に基づき、原稿セットトレイにセットされた原稿のサイズ検知が行われる。原稿のサイズが検知されると、操作パネルは、ジョブに関する設定値の入力を受け付ける。その後、操作パネルに対して開始操作が行われたことを受けて、画像読取装置はジョブを開始する。
【０００７】
ここで、ジョブの開始前に操作パネルが受け付ける設定値としては、原稿を読み取る際の読取サイズを設定するための設定値などがある。このため、操作パネルは、原稿セットトレイに現在セットされている原稿のサイズを表示し、ユーザーに認識させる。たとえば、ユーザーは、読取サイズの設定値を「自動」に設定する。なお、読取サイズの設定値を「自動」に設定した場合には、原稿セットトレイに現在セットされている原稿のサイズに基づき読取サイズが自動的に設定される。あるいは、ユーザーは、読取サイズの設定値として任意の値を設定する。
【先行技術文献】
【特許文献】
【０００８】
【特許文献１】特開２００２−２４４５００号公報
【発明の概要】
【発明が解決しようとする課題】
【０００９】
たとえば、操作パネルに対して開始操作を行った後、原稿セットトレイにセットした原稿が所望の原稿とは異なることにユーザーが気付くと、原稿セットトレイから原稿が抜き取られてそのまま保持されたり、原稿セットトレイにセットされた原稿がその原稿のサイズとは異なるサイズの原稿に交換されたりする場合がる。そして、画像読取装置によっては、原稿の抜き取りや交換が行われた場合、ジョブを終了し、ジョブの開始前に操作パネルが受け付けたジョブに関する設定値を全てリセットするよう構成される。
【００１０】
しかし、ユーザーによっては、ジョブの開始前に入力した設定値（読取サイズ以外の設定値）を保持したままジョブを再開したい場合がある。このようなユーザーからすると、ジョブの開始前に入力した設定値が全てリセットされる構成では、ジョブの開始前に操作パネルに入力した設定値を再入力しなければならないので、利便性が悪い。
【００１１】
本発明は、上記課題を解決するためになされたものであり、ジョブ（原稿の抜き取りや交換が行われることによって一時停止したジョブ）の再開時にユーザーが行う操作を減らすことによりユーザーの利便性を向上させることが可能な画像読取装置、通信装置および画像形成装置を提供することを目的とする。
【課題を解決するための手段】
【００１２】
上記目的を達成するために、本発明の画像読取装置は、ジョブに関する設定値の入力を受け付けるとともに、ジョブを開始するための開始操作を受け付ける操作部と、原稿がセットされる原稿セットトレイと、原稿セットトレイにセットされた原稿をジョブの実行中に読取位置に搬送する原稿搬送部と、ジョブの実行中に読取位置を通過する原稿を読み取る画像読取部と、原稿セットトレイにセットされた原稿のサイズを検知するための原稿サイズセンサーと、原稿セットトレイへの原稿のセット時に原稿サイズセンサーの出力値に基づき原稿のサイズ検知を行うとともに、操作部に対して開始操作が行われたことを受けてジョブを開始させ、ジョブの開始前に操作部が受け付けた設定値に従ってジョブの実行を制御する制御部と、を備える。そして、制御部は、操作部に対して開始操作が行われた後、原稿セットトレイにセットされた原稿のサイズ検知を行い、開始操作前に検知した原稿のサイズと開始操作後に検知した原稿のサイズとが異なれば、ジョブの開始前に操作部が受け付けた設定値をリセットせずにジョブを一時停止させる。
【００１３】
本発明の構成では、制御部は、操作部に対する開始操作前に、原稿セットトレイにセットされた原稿のサイズ検知を行う。さらに、制御部は、操作部に対する開始操作後にも、原稿セットトレイにセットされた原稿のサイズ検知を行う。そして、制御部は、操作部に対する開始操作前に検知した原稿のサイズと操作部に対する開始操作後に検知した原稿のサイズとが異なれば、ジョブを一時停止させる。すなわち、操作部に対する開始操作後に、原稿セットトレイから原稿を抜き取ってそのまま保持したり、原稿セットトレイにセットした原稿をその原稿のサイズとは異なるサイズの原稿に交換したりなどすると、ジョブが一時停止される。
【００１４】
ここで、本発明の構成では、制御部は、ジョブを一時停止させるが、ジョブの開始前に操作部が受け付けた設定値はリセットしない（すなわち、ジョブをキャンセルするわけではない）。したがって、一時停止したジョブの再開に際して、ユーザーが行う操作（ジョブの開始前に操作部に入力した設定値を再入力する操作）を減らすことができる。これにより、ユーザーの利便性が向上する。
【発明の効果】
【００１５】
本発明では、ジョブ（原稿の抜き取りや交換が行われることによって一時停止したジョブ）の再開時にユーザーが行う操作を減らすことができるので、ユーザーの利便性が向上する。
【図面の簡単な説明】
【００１６】
【図１】本発明の一実施形態による複合機の概略図
【図２】本発明の一実施形態による複合機のハードウェア構成を説明するためのブロック図
【図３】本発明の一実施形態による複合機のうち原稿搬送ユニットが装着された画像読取部のハードウェア構成を説明するためのブロック図
【図４】本発明の一実施形態による複合機の操作パネルに表示される画面（読取サイズの設定値の入力受付を行うためのサイズ設定画面）の一例を示した図
【図５】本発明の一実施形態による複合機の操作パネルに表示される画面（読取サイズの設定値の入力受付を行うためのサイズ設定画面）の一例を示した図
【図６】本発明の一実施形態による複合機の操作パネルに表示される画面（原稿の再セットや読取サイズの設定値の入力を促すための報知画面）の一例を示した図
【図７】本発明の一実施形態による複合機においてジョブを実行するときの制御の流れを説明するためのフローチャート図
【図８】本発明の一実施形態による複合機においてジョブを実行するときの制御の流れを説明するためのフローチャート図
【発明を実施するための形態】
【００１７】
以下に、本発明の一実施形態について、プリントジョブ、コピージョブ、ボックスジョブおよび送信ジョブ（ファックスジョブなど）の実行が可能な複合機を例にとって説明する。
【００１８】
（複合機の全体構成）
図１に示すように、本実施形態の複合機１００は、原稿搬送ユニット１が装着された画像読取部２と、印刷部３（給紙部４、用紙搬送部５、画像形成部６および定着部７）と、操作パネル８と、を備える。
【００１９】
原稿搬送ユニット１が装着された画像読取部２は、搬送読取用のコンタクトガラス２０ａおよび載置読取用のコンタクトガラス２０ｂが嵌め込まれたフレーム（読取台）を有する。そして、画像読取部２は、コンタクトガラス２０ａ上を通過する原稿Ｄを読み取る搬送読取およびコンタクトガラス２０ｂ上に載置された原稿Ｄを読み取る載置読取を行う。これにより、原稿Ｄの読み取りによって得られた画像データを装置内のボックスと呼ばれる保存領域に保存することができる（ボックスジョブ）。なお、ボックスジョブで使用する保存領域は、たとえば、後述する記憶部１１３に設けられる。
【００２０】
原稿搬送ユニット１は、画像読取部２のフレームに開閉可能（回動可能）に取り付けられる。そして、コンタクトガラス２０ａ上への原稿Ｄの搬送は、原稿搬送ユニット１が行う。具体的には、原稿搬送ユニット１は、原稿セットトレイ１１、原稿排出トレイ１２、給紙ローラー１３および搬送ローラー対１４を含む。また、原稿搬送ユニット１には、原稿セットトレイ１１から搬送読取時の読取位置であるコンタクトガラス２０ａ上（以下、読取位置ＲＰと称する）を経由して原稿排出トレイ１２に至る原稿搬送路１０が設けられる。
【００２１】
原稿セットトレイ１１は、読み取り前の原稿Ｄがセットされるトレイであり、原稿排出トレイ１２は、読み取り後の原稿Ｄが排出されるトレイである。原稿セットトレイ１１には、原稿Ｄを主走査方向（図１の紙面に対して垂直な方向）に挟み込んで主走査方向の位置決めを行うための一対の規制板１５が設けられる。なお、図１には、一対の規制板１５のうち一方のみを図示している。一対の規制板１５は、互いに連動して主走査方向にスライド可能とされており、一方の規制板１５をスライドさせることにより他方の規制板１５もスライドする。ただし、一対の規制板１５は、互いに逆方向にスライドする。すなわち、一対の規制板１５は、互いに離れる方向または互いに近づく方向にスライドする。
【００２２】
給紙ローラー１３および搬送ローラー対１４は、原稿セットトレイ１１にセットされた原稿Ｄを読取位置ＲＰに搬送して原稿排出トレイ１２に排出するためのものであり、本発明の「原稿搬送部」に相当する。給紙ローラー１３は、原稿搬送路１０の最も上流側に配置され、原稿セットトレイ１１にセットされた原稿Ｄを原稿搬送路１０に供給する。搬送ローラー対１４は、原稿搬送路１０に沿って複数配置され、給紙ローラー１３と共に原稿搬送路１０に沿って原稿Ｄを搬送する。これら給紙ローラー１３および搬送ローラー対１４により原稿搬送路１０に沿って搬送される原稿Ｄは、読取位置ＲＰを通過し、最終的に原稿排出トレイ１２に排出される。そして、画像読取部２は、原稿Ｄが読取位置ＲＰに到達してから読取位置ＲＰを抜けるまでの間、読取位置ＲＰで原稿Ｄの読み取りを行う。
【００２３】
また、原稿搬送ユニット１には、原稿セットトレイ１１における原稿Ｄの有無を検知するための原稿セットセンサーＳＳが設けられる。原稿セットセンサーＳＳは、たとえば、発光部、受光部、および、発光部と受光部との間を移動するとともに原稿セットトレイ１１上の領域（原稿Ｄがセットされる領域）に突出するアクチュエーターを有するアクチュエーター型の光センサーである。原稿セットセンサーＳＳのアクチュエーターは、原稿セットトレイ１１に原稿Ｄが有ると、原稿Ｄに押圧されて下方に移動し、発光部と受光部との間の光路を遮断（または、開放）する。一方で、原稿セットセンサーＳＳのアクチュエーターは、原稿セットトレイ１１から原稿Ｄが無くなると、原稿Ｄによる押圧が解除されることで上方に移動し、発光部と受光部との間の光路を開放（または、遮断する）する。これにより、原稿セットトレイ１１に原稿Ｄが有るときと無いときとで原稿セットセンサーＳＳの出力値が変化する。したがって、原稿セットセンサーＳＳの出力値に基づき、原稿セットトレイ１１に原稿Ｄがセットされたか否かを検知することができる。
【００２４】
さらに、原稿搬送ユニット１には、原稿セットトレイ１１にセットされた原稿Ｄのサイズを検知するための原稿サイズセンサーＳ１、Ｓ２、Ｓ３およびＳ４が設けられる。原稿サイズセンサーＳ１は、原稿Ｄの主走査方向のサイズを検知するためのセンサーである。原稿サイズセンサーＳ１は、たとえば、可変抵抗であり、一対の規制板１５の主走査方向の位置に応じて出力値（抵抗値）を変化させる。これにより、原稿サイズセンサーＳ１の出力値に基づき、原稿Ｄの主走査方向のサイズを検知することができる。
【００２５】
原稿サイズセンサーＳ２〜Ｓ４は、原稿Ｄの主走査方向と直交する副走査方向のサイズを検知するためのセンサーであり、副走査方向に互いに所定の間隔を隔てて配置される。原稿サイズセンサーＳ２〜Ｓ４は、たとえば、アクチュエーター型の光センサーであり、原稿セットトレイ１１にセットされた原稿Ｄにアクチュエーターが押圧されることで出力値を変化させる。これにより、原稿サイズセンサーＳ２〜Ｓ４のうちＨレベル（または、Ｌレベル）になった原稿サイズセンサーを判別することによって、原稿Ｄの副走査方向のサイズを検知することができる。
【００２６】
画像読取部２は、ランプ２１、イメージセンサー２２、ミラー２３およびレンズ２４を含み、原稿Ｄを光学的に読み取る。これら画像読取部２の各部材は、画像読取部２のフレーム内に配置される。
【００２７】
ランプ２１は、複数のＬＥＤ素子を有し、原稿Ｄに照射する光を生成する。複数のＬＥＤ素子は、図示しないが、主走査方向にライン状に配列される。そして、ランプ２１は、搬送読取時には、コンタクトガラス２０ａに向けて光を照射する（コンタクトガラス２０ａを透過した光が原稿Ｄを照射する）。一方で、ランプ２１は、載置読取時には、コンタクトガラス２０ｂに向けて光を照射する（コンタクトガラス２０ｂを透過した光が原稿Ｄを照射する）。原稿Ｄで反射された反射光は、ミラー２３で反射され、レンズ２４に導かれる。レンズ２４は、反射光を集光する。
【００２８】
イメージセンサー２２は、原稿Ｄで反射された反射光（レンズ２４で集光された光）を受光することにより原稿Ｄをライン単位で読み取る。このイメージセンサー２２は、主走査方向にライン状に並ぶ複数の光電変換素子を有するＣＣＤからなり、反射光を受光すると、ライン単位で画素毎に光電変換して電荷を蓄積する。そして、イメージセンサー２２は、蓄積電荷に応じたアナログ信号を出力する。すなわち、イメージセンサー２２の画素毎のアナログ出力は、反射光の光量に応じて変化する。
【００２９】
ランプ２１およびミラー２３は、副走査方向に移動可能な保持部材２５によって保持される。保持部材２５は、ワイヤー２６に連結される。このワイヤー２６は、巻取ドラム２７に巻回される。これにより、巻取ドラム２７が回転することによって保持部材２５が副走査方向に移動し、ランプ２１およびミラー２３が保持部材２５と共に副走査方向に移動する。なお、搬送読取時には、保持部材２５がコンタクトガラス２０ａの下方で静止する。載置読取時には、保持部材２５が副走査方向（正面から見て左から右に向かう方向）に移動する。
【００３０】
印刷部３は、給紙部４、用紙搬送部５、画像形成部６および定着部７によって構成される。そして、印刷部３は、用紙搬送路３０に沿って用紙Ｐを搬送し、たとえば、画像読取部２による原稿Ｄの読み取りによって得られた画像データに基づく画像を用紙Ｐに印刷して出力する（コピージョブ）。
【００３１】
給紙部４は、用紙カセット４１に収容された用紙Ｐを用紙搬送路３０に供給する。この給紙部４は、ピックアップローラー４２および給紙ローラー対４３を含む。ピックアップローラー４２は、用紙カセット４１に収容された用紙Ｐを給紙ローラー対４３の給紙ニップに送り、給紙ローラー対４３は、給紙ニップに進入した用紙Ｐを用紙搬送路３０に供給する。
【００３２】
用紙搬送部５は、用紙搬送路３０に供給された用紙Ｐを転写ニップおよび定着ニップの順番で搬送し、排出トレイ５１に排出する。この用紙搬送部５は、用紙搬送路３０に沿って配置された搬送ローラー対５２を複数含む。
【００３３】
画像形成部６は、画像データに基づきトナー像を形成し、そのトナー像を用紙Ｐに転写する。この画像形成部６は、感光体ドラム６１、帯電装置６２、露光装置６３、現像装置６４、転写ローラー６５およびクリーニング装置６６を含む。
【００３４】
画像形成時には、感光体ドラム６１が回転し、その感光体ドラム６１の表面を帯電装置６２が所定電位に帯電させる。また、露光装置６３は、感光体ドラム６１の表面を走査露光し、感光体ドラム６１の表面に静電潜像を形成する。現像装置６４は、感光体ドラム６１の表面に形成された静電潜像にトナーを供給して現像する。なお、複合機１００には、補給用のトナーを収容するコンテナー６６が装着される。そして、コンテナー６６に収容されたトナーは、中間ホッパー６７を介して現像装置６４に補給される。
【００３５】
転写ローラー６５は、感光体ドラム６１の表面に圧接し、感光体ドラム６１との間で転写ニップを形成する。これにより、転写ニップに用紙Ｐが進入すると、感光体ドラム６１の表面のトナー像が用紙Ｐに転写される。クリーニング装置６６は、用紙Ｐへのトナー像の転写が終わると、感光体ドラム６１の表面に残留するトナーなどを除去する。
【００３６】
定着部７は、用紙Ｐに転写されたトナー像を加熱および加圧して定着させる。定着部７は、加熱ローラー７１および加圧ローラー７２を含む。加熱ローラー７１は、発熱源を内蔵する。加圧ローラー７２は、加熱ローラー７１に圧接し、加熱ローラー７１との間で定着ニップを形成する。そして、トナー像が転写された用紙Ｐは、定着ニップを通過することにより、加熱および加圧される。
【００３７】
操作パネル８は、ジョブに関する設定値の入力を受け付けるとともに、ジョブを開始するための開始操作を受け付ける。すなわち、操作パネル８は、本発明の「操作部」に相当する。この操作パネル８は、タッチパネル付きの液晶表示部８１を含む。液晶表示部８１は、ジョブに関する設定値の入力を受け付けるためのソフトキーやメッセージなどを表示する。また、操作パネル８には、スタートキー８２やテンキー８３などのハードキーも設けられる。スタートキー８２は、ジョブの開始操作を受け付けるためのハードキーである。テンキー８３は、ジョブに関する設定値を数値入力するときに押されるハードキーである。
【００３８】
（複合機のハードウェア構成）
図２に示すように、複合機１００は、主制御部１１０（本発明の「制御部」に相当）を備える。主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、プログラムおよびデータを記憶する。そして、主制御部１１０は、記憶部１１３に記憶されたプログラムおよびデータに基づき、複合機１００の各部の動作を制御する。たとえば、主制御部１１０は、印刷部３と接続され、印刷部３の印刷動作を制御する。
【００３９】
また、主制御部１１０には、スキャン制御部１２０（本発明の「制御部」に相当）が接続される。スキャン制御部１２０は、図３に示すように、ＣＰＵ１２１および記憶部１２２を含む。そして、スキャン制御部１２０は、主制御部１１０から指示を受け、原稿搬送ユニット１の原稿搬送動作および画像読取部２の画像読取動作を制御する。
【００４０】
具体的には、スキャン制御部１２０は、給紙ローラー１３および搬送ローラー対１４を回転させるための搬送モーターＭ１と接続され、給紙ローラー１３および搬送ローラー対１４を適切に回転させる。また、スキャン制御部１２０は、巻取ドラム２７を回転させるための巻取モーターＭ２と接続され、巻取ドラム２７を適切に回転させる。すなわち、スキャン制御部２１０は、ランプ２１（保持部材２５）を副走査方向に適切に移動させる。
【００４１】
スキャン制御部１２０には、ランプ２１およびイメージセンサー２２も接続される。そして、スキャン制御部１２０は、ランプ２１およびイメージセンサー２２の各動作を制御する。さらに、スキャン制御部１２０は、イメージセンサー２２のアナログ出力を処理するため、アナログ処理部２２１、補正部２２２および画像メモリー２２３と接続される。アナログ処理部２２１は、増幅回路やＡ／Ｄ変換回路などを含み、イメージセンサー２２のアナログ出力を増幅し、デジタルの画像データに変換して出力する。補正部２２２は、シェーディング補正などの補正を行う。画像メモリー２２３は、画像データを蓄積し、主制御部１１０（画像処理部１１２）に転送する。
【００４２】
また、スキャン制御部１２０は、原稿セットセンサーＳＳと接続され、原稿セットセンサーＳＳの出力値に基づき、原稿セットトレイ１１に原稿Ｄがセットされたか否かを検知する。さらに、スキャン制御部１２０は、原稿サイズセンサーＳ１〜Ｓ４と接続され、原稿サイズセンサーＳ１〜Ｓ４の各出力値に基づき、原稿セットセンサー１１にセットされた原稿Ｄのサイズを検知する。
【００４３】
図２に戻って、主制御部１１０には、通信部１３０が接続される。通信部１３０は、たとえば、外部のコンピューター２００とネットワークを介して通信可能に接続される。これにより、コンピューター２００から送信された画像データに基づき印刷を行うことができる（プリントジョブ）。また、原稿Ｄの読み取りによって得られた画像データをコンピューター２００に送信することもできる（送信ジョブ）。さらに、通信部１３０には、モデムも内蔵される。したがって、電話回線などのネットワークを介して、外部のファクシミリ３００とファックス通信することができる（ファックスジョブ）。なお、コンピューター２００およびファクシミリ３００は、本発明の「外部機器」に相当する。
【００４４】
また、主制御部１１０は、操作パネル８と接続される。そして、主制御部１１０は、操作パネル８の表示動作を制御したり、操作パネル８に対して行われた操作を検知したりする。たとえば、主制御部１１０は、ジョブが行われていないとき、ジョブに関する設定値の入力を受け付けるための設定画面を操作パネル８に表示させる。なお、このときに表示させる設定画面は変更可能であり、コピージョブの設定画面を表示させることもできるし、コピージョブ以外のジョブの設定画面を表示させることもできる。そして、主制御部１１０は、操作パネル８に対してジョブを開始するための開始操作（スタートキー８２を押す操作）が行われると、ジョブを開始させる。
【００４５】
なお、主制御部１１０およびスキャン制御部１２０は互いに分割されていてもよいが、分割されていなくてもよい。すなわち、主制御部１１０が行う制御とスキャン制御部１２０が行う制御とが単一の制御部（たとえば、主制御部１１０）で行われるようになっていてもよい。
【００４６】
（搬送読取を伴うジョブの概要）
搬送読取を伴うジョブとしては、コピージョブ、ボックスジョブおよび送信ジョブ（ファックスジョブなど）がある。このようなジョブをユーザーが所望する場合、原稿セットトレイ１１に原稿Ｄがセットされ、ジョブに関する設定値が操作パネル８に入力される。たとえば、操作パネル８は、拡大／縮小、原稿画質、読み込み解像度、濃度、ファイル形式、枠消し、シャープネス、および、地色調整など種々の設定項目の各設定値の入力を受け付ける。なお、送信ジョブについては、宛先情報（たとえば、ファックス番号）なども設定値に相当する。そして、その後、操作パネル８に対して開始操作が行われる。
【００４７】
原稿セットトレイ１１に原稿Ｄがセットされると、原稿セットセンサーＳＳの出力値が原稿Ｄの有りを示す値となる。これにより、スキャン制御部１２０は、原稿セットトレイ１１に原稿Ｄがセットされたことを検知する。また、スキャン制御部１２０は、原稿セットトレイ１１に原稿Ｄがセットされると、原稿セットトレイ１１にセットされた原稿Ｄのサイズを原稿サイズセンサーＳ１〜Ｓ４の各出力値に基づき検知する。なお、原稿セットトレイ１１に不定形サイズの原稿Ｄがセットされる場合がある。この場合、スキャン制御部１２０は、原稿セットトレイ１１にセットされた原稿Ｄのサイズが不定形サイズであることを検知する。そして、スキャン制御部１２０は、原稿セットトレイ１１にセットされた原稿Ｄのサイズを示す原稿サイズ情報を主制御部１１０に通知する。
【００４８】
原稿サイズ情報の通知を受けた主制御部１１０は、ジョブに関する設定値の入力受付を操作パネル８に行わせる。すなわち、操作パネル８は、ジョブの設定画面を表示する（既に表示していれば表示を続ける）。なお、このときに表示されるジョブの設定画面には、原稿セットトレイ１１にセットされた原稿Ｄのサイズを示す情報が配される。
【００４９】
たとえば、操作パネル８は、ジョブに関する設定値として、画像読取部２が原稿Ｄを読み取る際の読取サイズを設定するための設定値の入力受付を行う。操作パネル８は、読取サイズの設定値の入力受付を行うとき、図４に示すようなサイズ設定画面ＰＳ１および図５に示すようなサイズ設定画面ＰＳ２のうちユーザーが選択したサイズ設定画面を表示する。そして、主制御部１１０は、操作パネル８に入力された設定値に基づき読取サイズを設定する。
【００５０】
サイズ設定画面ＰＳ１は、読取サイズを複数の定形サイズから選択して指定するための画面である。このサイズ設定画面ＰＳ１において、たとえば、最上欄をタッチすると、読取サイズがＡ３サイズに設定される。サイズ設定画面ＰＳ２は、読取サイズを任意に指定するための画面である。このサイズ設定画面ＰＳ２では、プラスキーＫ１およびマイナスキーＫ２をタッチすることにより、読取サイズの主走査方向（Ｘ方向）および副走査方向（Ｙ方向）の各幅を任意に指定することができる。なお、原稿セットトレイ１１に不定形サイズの原稿Ｄをセットする場合には、サイズ設定画面ＰＳ２によって読取サイズを指定しなければならない。
【００５１】
ところで、読取サイズの設定値には「自動」というものがある。主制御部１１０は、読取サイズの設定値が「自動」に設定されている場合、原稿セットトレイ１１にセットされた原稿Ｄのサイズに基づき読取サイズを設定する。すなわち、主制御部１１０は、原稿セットトレイ１１への原稿Ｄのセット時に検知された原稿ＤのサイズがＡ４サイズであれば、読取サイズをＡ４サイズに設定する。なお、通常では、読取サイズのデフォルトの設定値は「自動」に設定されている。
【００５２】
主制御部１１０は、原稿サイズ情報が通知されて以降、操作パネル８に対して開始操作が行われたことを受けてジョブを開始させる。具体的には、主制御部１１０は、まず、スキャン制御部１２０に対して画像読取要求を行う。画像読取要求を受けたスキャン制御部１２０は、主制御部１１０に対して画像読取を行う旨を通知する。そして、スキャン制御部１２０は、原稿搬送ユニット１に原稿Ｄの搬送を行わせる。また、スキャン制御部１２０は、画像読取部２に原稿Ｄの読み取りを行わせる。
【００５３】
（搬送読取を伴うジョブの一時停止）
主制御部１１０は、操作パネル８に対して開始操作が行われた後、スキャン制御部１２０に指示し、原稿セットトレイ１１にセットされた原稿Ｄのサイズ検知を行わせ、操作パネル８に対する開始操作前と開始操作後とで検知結果（原稿セットトレイ１１にセットされた原稿Ｄのサイズ）が異なっているか否かを判断させる。そして、スキャン制御部１２０は、操作パネル８に対する開始操作前と開始操作後とで原稿Ｄのサイズが異なっていると判断した場合、主制御部１１０からの画像読取要求に対する応答として、操作パネル８に対する開始操作前と開始操作後とで原稿Ｄのサイズが異なっている旨（サイズ不一致）を通知する。
【００５４】
たとえば、操作パネル８に対する開始操作後に原稿セットトレイ１１にセットされた原稿Ｄが抜き取られてそのまま保持された場合（原稿セットトレイ１１から原稿Ｄが無くなった場合）に、スキャン制御部１１０から主制御部１１０へサイズ不一致が通知される。この場合、原稿セットセンサーＳＳの出力値が原稿Ｄの無しを示すレベルになったことを受けて、スキャン制御部１１０から主制御部１１０へサイズ不一致が通知されるようになっていてもよい。また、所定の定形サイズの原稿Ｄから別の定形サイズの原稿Ｄに交換された場合、あるいは、定形サイズの原稿Ｄから不定形サイズの原稿Ｄに交換された場合（または、その逆の場合）にも、スキャン制御部１１０から主制御部１１０へサイズ不一致が通知される。
【００５５】
主制御部１１０は、スキャン制御部１２０からサイズ不一致通知を受けると、ジョブを一時停止させる。すなわち、スキャン制御部１２０は、原稿搬送ユニット１の原稿搬送動作および画像読取部２の画像読取動作を一時停止させる。
【００５６】
ここで、主制御部１１０は、ジョブを一時停止させるが、ジョブの開始前に操作パネル８に入力された設定値をリセットせずに保持する。そして、主制御部１１０は、操作パネル８に指示し、原稿セットトレイ１１に原稿Ｄを再セットするよう促す旨、および、読取サイズを設定するための設定値を操作パネル８に入力するよう促す旨、の少なくとも一方を報知させる。この構成においては、操作パネル８が本発明の「報知部」に相当する。
【００５７】
たとえば、操作パネル８は、図６に示すような報知画面ＰＳを表示する。この報知画面ＰＳには、原稿Ｄを再セットするよう促すメッセージ、および、読取サイズの設定値を入力するよう促すメッセージ、などが配される。さらに、報知画面ＰＳには、読取サイズを入力するための画面に移行するためのキーＫが配される。このキーＫがタッチされると、操作パネル８は、サイズ設定画面ＰＳ１（図４参照）またはサイズ設定画面ＰＳ２（図５参照）を表示する。
【００５８】
原稿セットトレイ１１に原稿Ｄが再セットされた場合、スキャン制御部１２０は、原稿セットトレイ１１に再セットされた原稿Ｄのサイズを原稿サイズセンサーＳ１〜Ｓ４の各出力値に基づき検知する。また、スキャン制御部１２０は、原稿セットトレイ１１に再セットされた原稿Ｄのサイズを示す原稿サイズ情報を主制御部１１０に通知する。原稿サイズ情報の通知を受けた主制御部１１０は、原稿セットトレイ１１に再セットされた原稿Ｄのサイズに基づき読取サイズを再設定する。そして、主制御部１１０は、読取サイズ以外のジョブに関する設定値については保持したままジョブを再開させる（スキャン制御部１２０に対して画像読取要求を行う）。
【００５９】
一方で、読取サイズの設定値が操作パネル８に入力された場合、主制御部１１０は、原稿セットトレイ１１にセットされた原稿Ｄのサイズによらず、操作パネル８に入力された設定値に基づき読取サイズを再設定する。そして、主制御部１１０は、読取サイズ以外のジョブに関する設定値については保持したままジョブを再開させる（スキャン制御部１２０に対して画像読取要求を行う）。なお、原稿セットトレイ１１に再セットされた原稿Ｄのサイズが不定形サイズであれば、読取サイズの設定値が操作パネル８に入力された場合にのみジョブが再開される。
【００６０】
以下に、図７および図８に示すフローチャートを参照し、搬送読取を伴うジョブを実行するときの制御の流れについて具体的に説明する。なお、図７および図８に示すフローチャートのスタートは、複合機１００が起動してジョブの実行が可能になったときである。
【００６１】
ステップＳ１において、スキャン制御部１２０は、原稿セットセンサーＳＳの出力値に基づき、原稿セットトレイ１１における原稿Ｄの有無（原稿セットトレイ１１に原稿Ｄがセットされたか否か）を判断する。その結果、原稿セットトレイ１１に原稿Ｄが有れば、ステップＳ２に移行し、原稿セットトレイ１１に原稿Ｄが無ければ、ステップＳ１の判断を繰り返す。
【００６２】
ステップＳ２に移行すると、スキャン制御部１２０は、原稿サイズセンサーＳ１〜Ｓ４の各出力値に基づき、原稿セットトレイ１１にセットされた原稿Ｄのサイズ検知を行う。そして、ステップＳ３において、スキャン制御部１２０は、原稿セットトレイ１１にセットされた原稿Ｄのサイズを示す原稿サイズ情報を主制御部１１０に通知する。
【００６３】
次に、ステップＳ４において、原稿サイズ情報の通知を受けた主制御部１１０は、ジョブに関する設定値の入力受付を操作パネル８に行わせる。すなわち、操作パネル８は、ジョブに関する設定値の入力を受け付けるための設定画面を表示する。
【００６４】
次に、ステップＳ５において、主制御部１１０は、操作パネル８が受け付けた設定値に基づきジョブの実行条件（読取サイズを含む）を設定する。なお、主制御部１１０は、読取サイズの設定値が「自動」に設定されていれば、原稿セットトレイ１１にセットされた原稿Ｄのサイズに基づき読取サイズを設定する。あるいは、主制御部１１０は、サイズ設定画面ＰＳ１（図４参照）やサイズ設定画面ＰＳ２（図５参照）に読取サイズの設定値が入力されれば、入力された設定値に基づき読取サイズを設定する。
【００６５】
次に、ステップＳ６において、主制御部１１０は、操作パネル８が開始操作を受け付けたか否かを判断する。その結果、操作パネル８が開始操作を受け付けていれば、ステップＳ７に移行する。なお、ジョブの開始時点は、操作パネル８が開始操作を受け付けたときである。一方で、操作パネル８が開始操作を受け付けていなければ、ステップＳ４に移行する。ところで、主制御部１１０は、操作パネル８が開始操作を受け付ける前に、原稿Ｄが交換されたり、設定値が変更されたりすると、その都度、ジョブの実行条件を設定変更する。
【００６６】
ステップＳ７に移行すると、主制御部１１０は、スキャン制御部１２０に指示し、少なくとも原稿搬送ユニット１が原稿搬送動作を開始するまでの間、原稿セットトレイ１１にセットされた原稿Ｄのサイズ検知を行わせる。そして、ステップＳ８において、主制御部１１０は、スキャン制御部１２０に対して画像読取要求を行う。
【００６７】
次に、ステップＳ９において、画像読取要求を受けたスキャン制御部１２０は、操作パネル８に対する開始操作前と開始操作後とで原稿Ｄのサイズが異なっているか否か（サイズが不一致か否か）を判断する。その結果、操作パネル８に対する開始操作前と開始操作後とで原稿Ｄのサイズが異なっていなければ、ステップＳ１０に移行する。ステップＳ１０に移行すると、スキャン制御部１２０は、主制御部１１０に対して画像読取を行う旨を通知する。この通知を受けた主制御部１１０は、ジョブを続行させる。
【００６８】
一方で、ステップＳ９において、操作パネル８に対する開始操作前と開始操作後とで原稿Ｄのサイズが異なっている場合には、ステップＳ１１に移行する。ステップＳ１１に移行すると、スキャン制御部１２０は、主制御部１１０に対してサイズ不一致を通知する。そして、ステップＳ１２において、サイズ不一致通知を受けた主制御部１１０は、ジョブの開始前に操作パネル８が受け付けた設定値をリセットせずにジョブを一時停止させる。
【００６９】
次に、ステップＳ１３において、主制御部１１０は、報知画面ＰＳ（図６参照）を操作パネル８に表示させる。そして、ステップＳ１４において、主制御部１１０は、一時停止中のジョブをキャンセルするためのキャンセル操作を操作パネル８が受け付けたか否かを判断する。その結果、操作パネル８がキャンセル操作を受け付けていれば、ジョブを再開せずに終了させる（ジョブの開始前に操作パネル８に入力された設定値をリセットする）。一方で、操作パネル８がキャンセル操作を受け付けていなければ、ステップＳ１５に移行する。
【００７０】
ステップＳ１５に移行すると、主制御部１１０は、スキャン制御部１２０に指示し、原稿セットトレイ１１における原稿の有無（原稿セットトレイ１１に再セットされた原稿Ｄが有るか否か）を判断させる。具体的には、スキャン制御部１２０は、操作パネル８に対して開始操作が行われて以降、原稿セットセンサーＳＳの出力値が原稿Ｄの有りを示すレベルから原稿Ｄの無しを示すレベルになり、その後で原稿Ｄの有りを示すレベルになったか否かを判断する。その結果、原稿セットトレイ１１に原稿Ｄが有るとスキャン制御部１２０が判断すれば、ステップＳ１６に移行し、原稿セットトレイ１１に原稿Ｄが無いとスキャン制御部１２０が判断すれば、ステップＳ１４に戻る。
【００７１】
ステップＳ１６に移行すると、主制御部１１０は、原稿セットトレイ１１に再セットされた原稿Ｄのサイズ検知をスキャン制御部１２０に行わせる。その後、ステップＳ１７において、スキャン制御部１２０は、原稿セットトレイ１１に再セットされた原稿Ｄのサイズを示す原稿サイズ情報を主制御部１１０に通知する。
【００７２】
次に、ステップＳ１８において、原稿サイズ情報の通知を受けた主制御部１１０は、読取サイズを設定するための設定値が操作パネル８に入力されたか否かを判断する。その結果、読取サイズの設定値が操作パネル８に入力されていなければ、ステップＳ１９に移行する。ステップＳ１９に移行すると、主制御部１１０は、原稿セットトレイ１１に再セットされた原稿Ｄのサイズに基づき読取サイズを設定する。そして、ステップＳ２０において、主制御部１１０は、読取サイズ以外のジョブに関する設定値は保持したままジョブを再開させる（スキャン制御部１２０に対して画像読取要求を行う）。
【００７３】
一方で、ステップＳ１８において、読取サイズの設定値が操作パネル８に入力された場合には、ステップＳ２１に移行する。ステップＳ２１に移行すると、主制御部１１０は、操作パネル８に入力された設定値に基づき読取サイズを設定する。そして、ステップＳ２０に移行する。すなわち、主制御部１１０は、読取サイズ以外のジョブに関する設定値については保持したままジョブを再開させる（スキャン制御部１２０に対して画像読取要求を行う）。
【００７４】
なお、上記構成において、ジョブを一時停止させた後、原稿Ｄの再セットを促す旨だけを報知し、再セットされた原稿Ｄのサイズに基づき読取サイズを設定してジョブを再開するようにしてもよい。ただし、原稿セットトレイ１１に再セットされた原稿Ｄのサイズが不定形サイズであれば、ジョブを再開せずに終了させてもよい。
【００７５】
あるいは、ジョブを一時停止させた後、読取サイズを設定するための設定値の入力を促す旨だけを報知し、入力された設定値に基づき読取サイズを設定してジョブを再開するようにしてもよい。
【００７６】
本実施形態の複合機１００（画像読取装置、通信装置、画像形成装置）は、上記のように、ジョブに関する設定値の入力を受け付けるとともに、ジョブを開始するための開始操作を受け付ける操作パネル８（操作部）と、原稿Ｄがセットされる原稿セットトレイ１１と、原稿セットトレイ１１にセットされた原稿Ｄをジョブの実行中に読取位置ＲＰに搬送する給紙ローラー１３（原稿搬送部）および搬送ローラー対１４（原稿搬送部）と、ジョブの実行中に読取位置ＲＰを通過する原稿Ｄを読み取る画像読取部２と、原稿セットトレイ１１にセットされた原稿Ｄのサイズを検知するための原稿サイズセンサーＳ１〜Ｓ４と、スキャン制御部１２０（制御部）と、主制御部１１０（制御部）と、を備える。スキャン制御部１２０は、原稿セットトレイ１１への原稿Ｄのセット時に原稿サイズセンサーＳ１〜Ｓ４の各出力値に基づき原稿Ｄのサイズ検知を行う。また、主制御部１１０は、操作パネル８に対して開始操作が行われたことを受けてジョブを開始させ、ジョブの開始前に操作パネル８が受け付けた設定値に従ってジョブの実行を制御する。そして、主制御部１１０は、操作パネル８に対して開始操作が行われた後、原稿セットトレイ１１にセットされた原稿Ｄのサイズ検知をスキャン制御部１２０に行わせ、操作パネル８に対する開始操作前と開始操作後とで原稿Ｄのサイズが異なれば、ジョブの開始前に操作パネル８が受け付けた設定値をリセットせずにジョブを一時停止させる。
【００７７】
本実施形態では、主制御部１１０は、操作パネル８に対する開始操作前に、原稿セットトレイ１１にセットされた原稿Ｄのサイズ検知をスキャン制御部１２０に行わせる。さらに、主制御部１１０は、操作パネル８に対する開始操作後にも、原稿セットトレイ１１にセットされた原稿Ｄのサイズ検知をスキャン制御部１２０に行わせる。そして、主制御部１１０は、操作パネル８に対する開始操作前と開始操作後とで原稿Ｄのサイズが異なれば、ジョブを一時停止させる。すなわち、操作パネル８に対する開始操作後に、原稿セットトレイ１１から原稿Ｄを抜き取ってそのまま保持したり、原稿セットトレイ１１にセットした原稿Ｄをその原稿Ｄのサイズとは異なるサイズの原稿Ｄに交換したりなどすると、ジョブが一時停止される。
【００７８】
ここで、本実施形態では、主制御部１１０は、ジョブを一時停止させるが、ジョブの開始前に操作パネル８が受け付けた設定値はリセットしない（すなわち、ジョブをキャンセルするわけではない）。したがって、一時停止したジョブの再開に際して、ユーザーが行う操作（ジョブの開始前に操作パネル８に入力した設定値を再入力する操作）を減らすことができる。これにより、ユーザーの利便性が向上する。
【００７９】
また、本実施形態では、上記のように、操作パネル８（報知部）は、主制御部１１０によりジョブが一時停止されると、原稿セットトレイ１１に原稿Ｄを再セットするよう促す旨を報知する。そして、主制御部１１０は、原稿セットトレイ１１に原稿Ｄが再セットされると（スキャン制御部１２０が原稿セットトレイ１１への原稿Ｄの再セットを検知すると）、原稿セットトレイ１１に再セットされた原稿Ｄのサイズ（スキャン制御部１２０が検知した原稿Ｄのサイズ）に基づき読取サイズを設定し、読取サイズ以外のジョブに関する設定値は保持したままジョブを再開させる。これにより、原稿セットトレイ１１に原稿Ｄを再セットするだけで、読取サイズ以外のジョブに関する設定値が保持されたままジョブが再開するので、ユーザーの利便性がより向上する。
【００８０】
また、本実施形態では、上記のように、操作パネル８（報知部）は、主制御部１１０によりジョブが一時停止されると、読取サイズを設定するための設定値を操作パネル８に入力するよう促す旨を報知する。そして、主制御部１１０は、読取サイズの設定値が操作パネル８に入力されると、原稿セットトレイ１１にセットされた原稿Ｄのサイズ（スキャン制御部１２０が検知した原稿Ｄのサイズ）によらず、操作パネル８に入力された設定値に基づき読取サイズを設定し、読取サイズ以外のジョブに関する設定値は保持したままジョブを再開させる。ここで、ユーザーによっては、不定形サイズの原稿Ｄを原稿セットトレイ１１にセットする場合がある。この場合には、読取サイズの設定値（任意の値）を操作パネル８に入力しなければならない。したがって、読取サイズの設定値を操作パネル８に入力することでジョブが再開するようになっていると、不定形サイズの原稿Ｄを読取対象とするジョブを所望するユーザーにとっては利便性が良い。
【００８１】
また、本実施形態では、上記のように、外部のコンピューター２００（外部機器）やファクシミリ３００（外部機器）に通信可能に接続され、画像読取部２による原稿Ｄの読み取りによって得られた画像データをコンピューター２００やファクシミリ３００に送信する通信部１３０を備える。そして、複合機１００は、搬送読取を伴うジョブとして、コンピューター２００やファクシミリ３００に原稿Ｄの画像データを送信する送信ジョブを実行する。これにより、送信ジョブの再開時にユーザーが行う操作を減らすことができる。
【００８２】
また、本実施形態では、上記のように、画像読取部２による原稿Ｄの読み取りによって得られた画像データに基づく画像を用紙Ｐに印刷する印刷部３を備える。そして、複合機１００は、搬送読取を伴うジョブとして、原稿Ｄの画像データに基づく画像を用紙Ｐに印刷するコピージョブを実行する。これにより、コピージョブの再開時にユーザーが行う操作を減らすことができる。
【００８３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８４】
２  画像読取部
３  印刷部
８  操作パネル（操作部、報知部）
１１  原稿セットトレイ
１３  給紙ローラー（原稿搬送部）
１４  搬送ローラー対（原稿搬送部）
１００  複合機（画像読取装置、通信装置、画像形成装置）
１１０  主制御部（制御部）
１２０  スキャン制御部（制御部）
１３０  通信部
２００  コンピューター（外部機器）
３００  ファクシミリ（外部機器）
Ｄ  原稿
Ｐ  用紙
ＲＰ  読取位置
Ｓ１、Ｓ２、Ｓ３、Ｓ４  原稿サイズセンサー
【図１】
0005932747.tif 000002
【図２】
0005932747.tif 000003
【図３】
0005932747.tif 000004
【図４】
0005932747.tif 000005
【図５】
0005932747.tif 000006
【図６】
0005932747.tif 000007
【図７】
0005932747.tif 000008
【図８】
0005932747.tif 000009